(57)【要約】【課題】電動ベッドの背ボトムを傾けたときに看護作業の負荷軽減や患者の自立促進に好ましい状態としつつ、患者に無理な姿勢を強いることがないようにする。【解決手段】電動ベッド５を使用している患者を特定する患者特定部２１と、患者特定部２１によって特定された患者の病状を特定する病状特定部２２と、病状特定部２２によって特定された病状に対応する、電動ベッド５の背ボトムの角度の調整範囲を特定する調整範囲特定部２３と、調整範囲特定部２３によって特定された調整範囲内で、電動ベッド５の背ボトムの角度を制御する角度制御部５３とを備えることにより、患者の病状に応じて看護作業の負荷軽減や患者の自立促進に好ましい角度となる調整範囲内に限って、患者が楽な姿勢となるように電動ベッド５の背ボトムの角度を調整することができるようにする。【選択図】図２
2016209321.tif 000002
【特許請求の範囲】
【請求項１】
電動ベッドを使用している患者を特定する患者特定部と、
前記患者特定部によって特定された患者の病状を特定する病状特定部と、
前記病状特定部によって特定された病状に対応する、前記電動ベッドの背ボトムの角度の調整範囲を特定する調整範囲特定部と、
前記調整範囲特定部によって特定された前記調整範囲内で、前記電動ベッドの背ボトムの角度を制御する角度制御部と
を備えたことを特徴とする電動ベッド制御システム。
【請求項２】
患者のＩＤと患者の病状との対応付けを患者毎に記憶する病状情報記憶部と、
前記電動ベッドの背ボトムの調整範囲を病状毎に記憶する調整範囲記憶部とをさらに備え、
前記病状特定部は、前記病状情報記憶部を参照することにより、前記患者特定部によって特定された患者の病状を特定し、
前記調整範囲特定部は、前記調整範囲記憶部を参照することにより、前記病状特定部によって特定された病状に対応する前記調整範囲を特定する
ことを特徴とする請求項１に記載の電動ベッド制御システム。
【請求項３】
前記角度制御部は、
所定の第１の操作が行われたとき、前記調整範囲特定部によって特定された前記調整範囲内の初期角度に、前記電動ベッドの背ボトムを移動させ、
その後、所定の第２の操作が行われたとき、当該第２の操作に応じて、前記調整範囲特定部によって特定された前記調整範囲内で、前記電動ベッドの背ボトムの角度を調整する
ことを特徴とする請求項１または２に記載の電動ベッド制御システム。
【請求項４】
前記調整範囲特定部によって特定された前記調整範囲内で、患者が所望する角度を、前記初期角度として登録する初期角度登録部をさらに備え、
前記角度制御部は、前記第１の操作が行われたとき、前記初期角度登録部によって登録された初期角度に、前記電動ベッドの背ボトムを移動させる
ことを特徴とする請求項３に記載の電動ベッド制御システム。
【請求項５】
電動ベッドを使用している患者を特定する患者特定部と、
前記患者特定部によって特定された患者の病状を特定する病状特定部と、
前記病状特定部によって特定された病状に対応する、前記電動ベッドの背ボトムの角度の調整範囲を特定する調整範囲特定部と、
前記電動ベッドの背ボトムの角度が、前記調整範囲特定部によって特定された前記調整範囲内となるように、前記電動ベッドの動作範囲を制御する電動ベッド制御部と
を備えたことを特徴とする電動ベッド制御装置。
【発明の詳細な説明】
【技術分野】
【０００１】
本発明は、電動ベッドの動作を制御することができるようになされた電動ベッド制御システムおよび電動ベッド制御装置に関する。
【背景技術】
【０００２】
従来、病院や介護施設などでは、コントローラの操作によって背ボトムの角度を電動で変えることができる電動ベッドが使用されている。この種の電動ベッドにおいて、担当の看護師や介護師（以下、単に「看護師」と言う）がコントローラを操作して、背ボトムの角度を患者や被介護者（以下、単に「患者」と言う）にとって適切な角度に傾けることにより、看護作業の負荷軽減や患者の自立促進に最適な姿勢を患者にとらせることができる。
【０００３】
しかしながら、患者にとって適切な背ボトムの角度を知らない人（例えば、患者自身、患者の家族、患者を担当していない看護師等）が電動ベッドの操作を行うと、背ボトムを適切な角度に傾けることができず、看護作業の負荷軽減や患者の自立促進に最適ではない角度になってしまう。
【０００４】
そこで、従来、だれが操作しても背ボトムの角度を適切な角度にすることができるようにした技術が考案されている（例えば、特許文献１）。特許文献１には、医療用または看護用の電動ベッドにおいて、手元スイッチに設けられた推奨スイッチが押下されると、背ボトムが専門家の推奨する所定の角度となるように、電動ベッドを駆動制御する技術が開示されている。
【先行技術文献】
【特許文献】
【０００５】
【特許文献１】特開２００５−２５３８０５号公報
【発明の概要】
【発明が解決しようとする課題】
【０００６】
しかしながら、上記特許文献１の技術では、背ボトムが推奨された所定の角度に傾けられた場合、看護師による看護作業の負荷軽減や患者の自立促進に最適な姿勢となっていたとしても、無理な姿勢を患者に強いてしまうことがあるといった問題が生じていた。
【０００７】
本発明は、このような問題を解決するために成されたものであり、電動ベッドの背ボトムを傾けたときに看護作業の負荷軽減や患者の自立促進に好ましい状態としつつ、患者に無理な姿勢を強いることがないようにすることを目的とする。
【課題を解決するための手段】
【０００８】
上記した課題を解決するために、本発明では、電動ベッドを使用している患者の病状に対応する、電動ベッドの背ボトムの角度の調整範囲を特定し、特定された調整範囲内で、電動ベッドの背ボトムの角度を制御するようにしている。
【発明の効果】
【０００９】
上記のように構成した本発明によれば、患者の病状に応じた調整範囲内に限って、電動ベッドの背ボトムの角度が調整できるようになる。このため、だれが電動ベッドを操作したとしても、患者の姿勢を、看護師による看護作業の負荷軽減や患者の自立促進に最適な姿勢の範囲内とすることができる。特に、本発明によれば、患者の姿勢が最適な姿勢である範囲内で、患者にとって無理な姿勢とならないように、背ボトムの角度を調整することができる。このため、本発明によれば、電動ベッドの背ボトムを傾けたときに看護作業の負荷軽減や患者の自立促進に好ましい状態としつつ、患者に無理な姿勢を強いることがないようにすることができる。
【図面の簡単な説明】
【００１０】
【図１】本発明の第１実施形態に係る電動ベッド制御システムの全体構成例を示す図である。
【図２】本発明の第１実施形態に係る電動ベッド制御システムの機能構成例を示すブロック図である。
【図３】本発明の第１実施形態に係る病状情報テーブルおよび調整範囲情報テーブルの一例を示す図である。
【図４】本発明の第１実施形態に係る電動ベッド制御システムによる処理の手順を示すフローチャートである。
【図５】本発明の第２実施形態に係る電動ベッド制御システムの機能構成例を示すブロック図である。
【図６】本発明の第２実施形態に係る初期角度情報テーブルの一例を示す図である。
【発明を実施するための形態】
【００１１】
以下、本発明の一実施形態を図面に基づいて説明する。
【００１２】
〔電動ベッド制御システムの全体構成〕
図１は、本発明の第１実施形態に係る電動ベッド制御システムの全体構成例を示す図である。なお、ここでは病院に設置される看護支援用のナースコールシステムを利用して、電動ベッド制御システムを構築する例を説明するが、本実施形態の電動ベッド制御システムは、これに限定されない。例えば、本実施形態の電動ベッド制御システムは、介護施設等に設置されるナースコールシステムを利用して構築することも可能である。
【００１３】
図１に示すように、本実施形態に係る電動ベッド制御システムは、ナースコール親機１、制御機２、廊下灯３、壁埋込形子機４、電動ベッド５を備えて構成されている。
【００１４】
ナースコール親機１は、患者（ナースコール子機）からの呼び出しを受けて所定の報知処理を行うものであり、例えばナースセンタに設置される。制御機２は、ナースコール親機１と廊下灯３との間に配置され、通話やデータの送受信に関する制御を行う。廊下灯３は、病室内の患者名が表示されるとともに、病室内の患者が看護師の呼び出しを行うと、呼び出しが行われたことが表示されるようになっている。
【００１５】
壁埋込形子機４は、病室の各ベッドサイドの壁に埋め込み設置される。この壁埋込形子機４は、廊下灯３に接続されている。壁埋込形子機４は、患者が看護師を呼び出すための呼出ボタン、患者が看護師と会話を行う際に使用するマイクおよびスピーカ、電動ベッド５を接続するための接続端子を備えている。
【００１６】
電動ベッド５は、患者によって使用される。電動ベッド５は、コントローラ５Ａおよび駆動モータ５Ｂを備えている。電動ベッド５は、コントローラ５Ａの操作により、駆動モータ５Ｂが駆動され、電動ベッド５の背ボトムの角度を変更できるようになっている。電動ベッド５は、壁埋込形子機４に接続されることにより、壁埋込形子機４、廊下灯３および制御機２を介して、ナースコール親機１との通信を行うことが可能となる。
【００１７】
コントローラ５Ａは、起動ボタン５ａ、背上げボタン５ｂおよび背下げボタン５ｃを備えている。起動ボタン５ａが操作されると、電動ベッド５の背ボトムが、患者の病状に応じた所定の調整範囲内の初期位置に移動されるようになっている。背上げボタン５ｂが操作されると、電動ベッド５の背ボトムが、患者の病状に応じた所定の調整範囲内で背上げされるようになっている。背下げボタン５ｃが操作されると、電動ベッド５の背ボトムが、患者の病状に応じた所定の調整範囲内で背下げされるようになっている。
【００１８】
〔電動ベッド制御システムの機能構成〕
図２は、本発明の第１実施形態に係る電動ベッド制御システムの機能構成例を示すブロック図である。図２に示すように、本実施形態に係る電動ベッド５は、その機能構成として、ベッドＩＤ送信部５１、調整範囲取得部５２および角度制御部５３を備えている。
【００１９】
また、本実施形態に係るナースコール親機１は、病状情報記憶部１１および調整範囲情報記憶部１２を備えている。また、ナースコール親機１は、電動ベッド制御装置２０として機能する。電動ベッド制御装置２０は、その機能構成として、患者特定部２１、病状特定部２２、調整範囲特定部２３および電動ベッド制御部２４を備えている。
【００２０】
なお、上記各機能ブロック５１〜５３、２１〜２４は、ハードウェア構成、ＤＳＰ、ソフトウェアの何れによっても実現することが可能である。例えばソフトウェアによって実現する場合、上記各機能ブロック５１〜５３、２１〜２４は、実際にはコンピュータのＣＰＵあるいはＭＰＵ、ＲＡＭ、ＲＯＭなどを備えて構成され、ＲＡＭ、ＲＯＭ、ハードディスク、半導体メモリ等に記憶されたプログラムが動作することによって実現できる。
【００２１】
ナースコール親機１の病状情報記憶部１１は、ベッドＩＤと、患者ＩＤと、病状との対応付けが患者毎になされた、病状情報テーブルを記憶する。なお、病状情報テーブルの詳細については、図３（ａ）を用いて後述する。
【００２２】
ナースコール親機１の調整範囲情報記憶部１２は、電動ベッド５の背ボトムの調整範囲が病状毎に対応付けられている、調整範囲情報テーブルを記憶する。各病状には、看護師による看護作業の負荷軽減や患者の自立促進に最適な姿勢となるような、電動ベッド５の背ボトムの調整範囲が設定される。なお、調整範囲情報テーブルの詳細については、図３（ｂ）を用いて後述する。
【００２３】
電動ベッド５のベッドＩＤ送信部５１は、コントローラ５Ａの起動ボタン５ａの操作（所定の第１の操作）が行われたとき、当該電動ベッド５のベッドＩＤをナースコール親機１へ送信する。
【００２４】
ナースコール親機１の患者特定部２１は、電動ベッド５から送信されたベッドＩＤに基づいて、電動ベッド５を使用している患者を特定する。具体的には、病状特定部２２は、病状情報記憶部１１に記憶されている病状情報テーブル（図３（ａ）参照）を参照することにより、電動ベッド５から送信されたベッドＩＤに対応付けられている患者ＩＤを、電動ベッド５を使用している患者の患者ＩＤとして特定する。
【００２５】
ナースコール親機１の病状特定部２２は、患者特定部２１によって特定された患者の病状を特定する。具体的には、病状特定部２２は、病状情報記憶部１１に記憶されている病状情報テーブル（図３（ａ）参照）を参照することにより、患者特定部２１によって特定された患者ＩＤに対応付けられている病状を、患者特定部２１によって特定された患者の病状として特定する。
【００２６】
ナースコール親機１の調整範囲特定部２３は、病状特定部２２によって特定された病状に対応する、電動ベッド５の背ボトムの角度の調整範囲を特定する。具体的には、調整範囲特定部２３は、調整範囲記憶部１２に記憶されている調整範囲情報テーブル（図３（ｂ）参照）を参照することにより、病状特定部２２によって特定された病状に対応付けられている調整範囲を、電動ベッド５の背ボトムの角度の調整範囲として特定する。
【００２７】
ナースコール親機１の電動ベッド制御部２４は、電動ベッド５の背ボトムの角度が、調整範囲特定部２３によって特定された調整範囲内となるように、電動ベッド５の動作範囲を制御する。具体的には、電動ベッド制御部２４は、調整範囲特定部２３によって特定された調整範囲を示す調整範囲情報を、電動ベッド５へ送信する。
【００２８】
電動ベッド５の調整範囲取得部５２は、ナースコール親機１から送信された調整範囲情報を取得する。そして、調整範囲取得部５２は、取得した調整範囲情報を角度制御部５３へ供給する。
【００２９】
電動ベッド５の角度制御部５３は、調整範囲取得部５２から供給された調整範囲情報に示されている調整範囲内（すなわち、調整範囲特定部２３によって特定された調整範囲内）で、電動ベッド５の背ボトムの角度を制御する。具体的には、角度制御部５３は、コントローラ５Ａの起動ボタン５ａの操作（所定の第１の操作）が行われたとき、調整範囲情報に示されている調整範囲内の所定の初期角度（例えば、中央値、下限値、上限値等）に、電動ベッド５の背ボトムを移動させる。
【００３０】
その後、コントローラ５Ａの背上げボタン５ｂまたは背下げボタン５ｃの操作（所定の第２の操作）が行われたとき、角度制御部５３は、当該背上げボタン５ｂまたは背下げボタン５ｃの操作に応じて、調整範囲情報に示されている調整範囲内で、電動ベッド５の背ボトムの角度を調整（背上げまたは背下げ）する。背上げボタン５ｂまたは背下げボタン５ｃによって調整範囲を超えるような操作が行われたとき、角度制御部５３は、その操作信号を無効として扱う。
【００３１】
〔病状情報テーブルおよび調整範囲情報テーブルの一例〕
図３は、本発明の第１実施形態に係る病状情報テーブルおよび調整範囲情報テーブルの一例を示す図である。図３（ａ）は、病状情報記憶部１１に記憶されている病状情報テーブルの一例を示す。図３（ｂ）は、調整範囲情報記憶部１２に記憶されている調整範囲情報テーブルの一例を示す。
【００３２】
図３（ａ）に示すように、病状情報テーブルでは、ベッドＩＤと、患者ＩＤと、病状との対応付けが患者毎になされている。一方、図３（ｂ）に示すように、調整範囲情報テーブルでは、病状毎に、看護師による看護作業の負荷軽減や患者の自立促進に最適な姿勢となるような、電動ベッド５の背ボトムの調整範囲が対応付けられている。
【００３３】
例えば、図３（ｂ）の調整範囲情報テーブルにおいて、病状「頭蓋内圧亢進症状」には、調整範囲「２０度〜３０度」が対応付けられている。これは、急性期は頭蓋内圧亢進の誘因防止のために、頭部の安静を守ることと、脳静脈うっ血予防のために、頭部を２０度〜３０度挙上することが好ましいからである。
【００３４】
また、図３（ｂ）の調整範囲情報テーブルにおいて、病状「長期臥床」には、調整範囲「０度〜３０度」が対応付けられている。これは、電動ベッド５の背ボトムを３０度以上挙上してしまうと、体が足の方向にずり落ちてゆき、このときに摩擦やずれを生じ、褥瘡発生の原因となるからである。
【００３５】
また、図３（ｂ）の調整範囲情報テーブルにおいて、病状「ＶＡＰ（人工呼吸器関連肺炎）」には、調整範囲「３０度〜４５度」が対応付けられている。これは、仰臥位は胃内容物の逆流を促し、また、口腔内内容物の気管への流入を促し、ＶＡＰの原因となる一方で、人工呼吸患者で上半身を３０度〜４５度挙上した頭高位を維持すると、仰臥位に比べＶＡＰの発生頻度が優位に低下するからである。
【００３６】
図３（ａ）の病状情報テーブルは、電動ベッド５を使用している患者およびその患者の病状を特定する際に、患者特定部２１および病状特定部２２によって参照される。また、図３（ｂ）の調整範囲情報テーブルは、電動ベッド５の背ボトムの角度の調整範囲を特定する際に、調整範囲特定部２３によって参照される。
【００３７】
例えば、電動ベッド５のベッドＩＤが「ベッド００１」である場合、図３（ａ）の病状情報テーブルに基づき、患者特定部２１によって、その電動ベッド５を使用している患者の患者ＩＤとして「患者０００１」が特定される。また、病状特定部２２によって、患者ＩＤが「患者０００１」である患者の病状として「頭蓋内圧亢進症状」が特定される。さらに、図３（ｂ）の調整範囲情報テーブルに基づき、調整範囲特定部２３によって、病状「頭蓋内圧亢進症状」に対応する、電動ベッド５の背ボトムの角度の調整範囲として、「２０度〜３０度」が特定される。これにより、ベッドＩＤが「ベッド００１」である電動ベッド５の背ボトムの角度は、「２０度〜３０度」の調整範囲内に制限される。
【００３８】
なお、一般的なナースコールシステムでは、ナースコール親機１等に記憶されている患者情報テーブルに、図３（ａ）のような病状情報（患者ＩＤ、ベッドＩＤ、病状）が既に設定されている。このため、本実施形態のようにナースコールシステムを利用して電動ベッド制御システムを構築する場合には、患者情報テーブルに既に設定されている病状情報をそのまま用いることができる。
【００３９】
また、本実施形態では、図３（ａ）の病状情報テーブルの他に図３（ｂ）の調整範囲テーブルを別途設け、当該調整範囲テーブルにて病状毎に調整範囲を設定しているため、各患者に対して個別に調整範囲を設定する手間を省くことができるようになっている。
【００４０】
〔電動ベッド制御システムによる処理の手順〕
図４は、本発明の第１実施形態に係る電動ベッド制御システムによる処理の手順を示すフローチャートである。図４に例示する処理は、例えば、電動ベッド５の電源がＯＮに切り替えられると、その電動ベッド５とナースコール親機１との間で実行される。
【００４１】
まず、電動ベッド５において、ベッドＩＤ送信部５１が、コントローラ５Ａの起動ボタン５ａの操作がなされたか否かを判断する（ステップＳ４０２）。ここで、起動ボタン５ａの操作がなされていないとベッドＩＤ送信部５１が判断した場合（ステップＳ４０２：Ｎｏ）、ベッドＩＤ送信部５１が、ステップＳ４０２の判断処理を再度実行する。
【００４２】
一方、起動ボタン５ａの操作がなされたとベッドＩＤ送信部５１が判断した場合（ステップＳ４０２：Ｙｅｓ）、ベッドＩＤ送信部５１が、当該電動ベッド５のベッドＩＤをナースコール親機１へ送信する（ステップＳ４０４）。これに応じて、ナースコール親機１において、患者特定部２１が、電動ベッド５から送信されたベッドＩＤに基づいて、電動ベッド５を使用している患者を特定する（ステップＳ４０６）。また、病状特定部２２が、ステップＳ４０６で特定された患者の病状を特定する（ステップＳ４０８）。
【００４３】
また、ナースコール親機１の調整範囲特定部２３が、ステップＳ４０８で特定された病状に対応する、電動ベッド５の背ボトムの角度の調整範囲を特定する（ステップＳ４１０）。そして、ナースコール親機１の電動ベッド制御部２４が、ステップＳ４１０で特定された調整範囲を示す調整範囲情報を電動ベッド５へ送信する（ステップＳ４１２）。これに応じて、電動ベッド５の調整範囲取得部５２が、ナースコール親機１から送信された調整範囲情報を取得する（ステップＳ４１４）。そして、電動ベッド５の角度制御部５３が、ステップＳ４１４で取得された調整範囲情報に示されている調整範囲内の所定の初期角度に、電動ベッド５の背ボトムを移動させる（ステップＳ４１６）。
【００４４】
その後、電動ベッド５の角度制御部５３が、コントローラ５Ａの背上げボタン５ｂまたは背下げボタン５ｃの操作がなされたか否かを判断する（ステップＳ４１８）。ここで、背上げボタン５ｂまたは背下げボタン５ｃの操作がなされていないと角度制御部５３が判断した場合（ステップＳ４１８：Ｎｏ）、角度制御部５３が、ステップＳ４１８の判断処理を再度実行する。
【００４５】
一方、背上げボタン５ｂまたは背下げボタン５ｃの操作がなされたと角度制御部５３が判断した場合（ステップＳ４１８：Ｎｏ）、角度制御部５３が、ステップＳ４１４で取得された調整範囲情報に示されている調整範囲内で、電動ベッド５の背ボトムの角度を制御する（ステップＳ４２０）。そして、電動ベッド制御システムは、図４に示す一連の処理を終了する。
【００４６】
以上説明したように、本発明の第１実施形態では、患者の病状に応じた調整範囲内に限って、電動ベッド５の背ボトムの角度が調整できるようになる。このため、だれが電動ベッド５を操作したとしても、患者の姿勢を、看護師による看護作業の負荷軽減や患者の自立促進に最適な姿勢の範囲内とすることができる。特に、本発明に第１実施形態によれば、患者の姿勢が最適な姿勢である範囲内で、患者にとって無理な姿勢とならないように、電動ベッド５の背ボトムの角度を調整することができる。このため、本発明の第１実施形態によれば、電動ベッド５の背ボトムを傾けたときに看護作業の負荷軽減や患者の自立促進に好ましい状態としつつ、患者に無理な姿勢を強いることがないようにすることができる。
【００４７】
〔第２実施形態〕
次に、図５および図６を参照して、本発明の第２実施形態について説明する。図５は、本発明の第２実施形態に係る電動ベッド制御システムの機能構成例を示すブロック図である。
【００４８】
図５に示す第２実施形態の電動ベッド５’は、初期角度送信部５４をさらに備える点、および、調整範囲取得部５２，角度制御部５３の代わりに調整範囲取得部５２’，角度制御部５３’を備える点で、第１実施形態の電動ベッド５と異なる。
【００４９】
また、図５に示す第２実施形態のナースコール親機１’は、初期角度情報記憶部１３をさらに備える点、電動ベッド制御装置２０に初期角度登録部２５をさらに備える点、および、電動ベッド制御部２４の代わりに電動ベッド制御部２４’を備える点で、第１実施形態のナースコール親機１と異なる。
【００５０】
ナースコール親機１’の初期角度情報記憶部１３は、電動ベッド５’の背ボトムの初期角度が患者ＩＤ毎に対応付けられている初期角度情報テーブルを記憶する。なお、初期角度情報テーブルの詳細については、図６を用いて後述する。
【００５１】
電動ベッド５’の初期角度送信部５４は、調整範囲特定部２３によって特定された調整範囲内で、患者が所望する電動ベッド５’の背ボトムの角度を、ナースコール親機１’へ送信する。例えば、初期角度送信部５４は、コントローラ５Ａに設けられた登録ボタン（図示省略）が押下されたとき、そのときの電動ベッド５’の背ボトムの角度をナースコール親機１’へ送信する。
【００５２】
ナースコール親機１’の初期角度登録部２５は、電動ベッド５’から送信された患者が所望する電動ベッド５’の背ボトムの角度を、その患者に適用する電動ベッド５’の背ボトムの初期角度として、初期角度情報記憶部１３に記憶されている初期角度情報テーブルに登録する。
【００５３】
ナースコール親機１’の電動ベッド制御部２４’は、調整範囲特定部２３によって特定された調整範囲を示す調整範囲情報を電動ベッド５’へ送信するとともに、患者特定部２１によって特定された患者ＩＤに対応付けられている、電動ベッド５’の背ボトムの初期角度を初期角度情報記憶部１３の初期角度情報テーブルから読み取って、当該電動ベッド５’の背ボトムの初期角度を電動ベッド５’へ送信する。
【００５４】
電動ベッド５’の調整範囲取得部５２’は、ナースコール親機１から送信された調整範囲情報および電動ベッド５’の背ボトムの初期角度を取得する。そして、調整範囲取得部５２’は、取得した調整範囲情報および電動ベッド５’の背ボトムの初期角度を角度制御部５３’へ供給する。
【００５５】
電動ベッド５’の角度制御部５３’は、コントローラ５Ａの起動ボタン５ａの操作が行われたとき、調整範囲取得部５２’から供給された初期角度（すなわち、初期角度情報記憶部１３の初期角度情報テーブルに登録された初期角度）に、電動ベッド５’の背ボトムを移動させる。その後、コントローラ５Ａの背上げボタン５ｂまたは背下げボタン５ｃの操作が行われたとき、角度制御部５３’は、当該背上げボタン５ｂまたは背下げボタン５ｃの操作に応じて、調整範囲取得部５２’から供給された調整範囲情報に示されている調整範囲内で、電動ベッド５’の背ボトムの角度を調整（背上げまたは背下げ）する。
【００５６】
〔初期角度情報テーブルの一例〕
図６は、本発明の第２実施形態に係る初期角度情報テーブルの一例を示す図である。図６は、初期角度情報記憶部１３に記憶されている初期角度情報テーブルの一例を示す。図６に示すように、初期角度情報テーブルでは、患者ＩＤ毎に、患者が所望する電動ベッド５’の背ボトムの角度が、電動ベッド５’の背ボトムの初期角度として対応付けられている。
【００５７】
図６の初期角度情報テーブルは、電動ベッド制御部２４’が調整範囲情報および初期角度を電動ベッド５’へ送信する際に、電動ベッド制御部２４’によって参照される。
【００５８】
例えば、患者特定部２１によって特定された患者ＩＤが「患者０００１」である場合、図６の初期角度情報テーブルに基づき、電動ベッド制御部２４’によって初期角度として「２５度」が特定される。そして、この初期角度「２５度」が、電動ベッド制御部２４’によって電動ベッド５’へ送信される。これにより、電動ベッド５’において、コントローラ５Ａの起動ボタン５ａが操作されたとき、電動ベッド５’の角度制御部５３’が、電動ベッド５’の背ボトムを初期角度「２５度」に移動させるようになる。
【００５９】
以上説明したように、本発明の第２実施形態では、患者が所望する電動ベッド５’の背ボトムの角度が、初期角度情報記憶部１３の初期角度情報テーブルに登録されて以降、コントローラ５Ａの起動ボタン５ａが操作されたとき、電動ベッド５’の背ボトムが、患者が所望する角度に自動的に移動するようになる。このため、電動ベッド５’の背ボトムの角度を調整するといった手間がかかる作業を行うことなく、電動ベッド５’の背ボトムの角度を、患者が所望する角度とすることができる。
【００６０】
なお、上記第２実施形態では、患者の所望する角度をその患者に適用する初期角度として初期角度情報テーブル（図６参照）に登録するようにしているが、本発明はこれに限らない。例えば、患者の所望する角度をその患者に適用する初期角度として病状情報テーブル（図３（ａ）参照）に登録するようにしてもよい。
【００６１】
また、上記第２実施形態において、患者の所望する角度がその患者に適用する初期角度として初期角度情報テーブルに既に登録されている場合であっても、患者の所望する別の角度を新たな初期角度として初期角度情報テーブルに再登録させることで、患者に適用する初期角度を更新できるようにしてもよい。
【００６２】
また、上記第２実施形態では、ナースコール親機１’に初期角度登録部２５および初期角度情報記憶部１３を設けるようにしているが、本発明はこれに限らない。例えば、電動ベッド５’に初期角度登録部２５および初期角度情報記憶部１３を設けるようにしてもよい。この場合、初期角度情報記憶部１３は、図６に示すように各患者の初期角度を記憶しておく必要がなく、当該電動ベッド５’を使用する一の患者の初期角度のみを記憶しておけばよい。
【００６３】
また、上記各実施形態では、起動ボタン５ａの操作をトリガとしてその都度調整範囲情報を取得するようにしているが、本発明はこれに限らない。例えば、起動ボタン５ａの操作とは関係なく、任意のタイミング（例えば、コントローラ５Ａの取得ボタン（図示省略）が操作されたタイミング）で、ナースコール親機１,１’から調整範囲情報を取得し、取得した調整範囲情報を電動ベッド５，５’が記憶しておくようにしてもよい。この場合、電動ベッド５，５’は、調整範囲情報を記憶した後は、調整範囲情報をナースコール親機１，１’から取得しなくてもよくなる。
【００６４】
その他、上記各実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６５】
１，１’  ナースコール親機
２  制御機
３  廊下灯
４  壁埋込形子機
５，５’  電動ベッド
５Ａ  コントローラ
５ａ  起動ボタン
５ｂ  背上げボタン
５ｃ  背下げボタン
５Ｂ  駆動モータ
１１  病状情報記憶部
１２  調整範囲情報記憶部
１３  初期角度情報記憶部
２０  電動ベッド制御装置
２１  患者特定部
２２  病状特定部
２３  調整範囲特定部
２４，２４’  電動ベッド制御部
２５  初期角度登録部
５１  ベッドＩＤ送信部
５２，５２’  調整範囲取得部
５３，５３’  角度制御部
５４  初期角度送信部
【図１】
2016209321.tif 000003
【図２】
2016209321.tif 000004
【図３】
2016209321.tif 000005
【図４】
2016209321.tif 000006
【図５】
2016209321.tif 000007
【図６】
2016209321.tif 000008